(57)【要約】【課題】  綴じ足をベース内に容易に受容させることができるようにすること。【解決手段】  表紙体１１に装着されるとともに、屈曲可能に設けられた一対の綴じ足１３と、長手方向に延びるとともに、各綴じ足１３を受容可能に設けられたベース１４と、このベース１４に重なり合って当該ベース１４の長手方向に沿って相対移動可能に設けられたスライド部材１５とを備えて綴じ具１０が構成されている。スライド部材１５は、第１の位置に設定されたときに、スライド部材１５とベース１４との間に綴じ足１３を挟む倒伏姿勢として書類Ｐを綴じ込み可能に設けられている。一方、スライド部材１５が第２の位置に設定されたときに、ベース１４と綴じ足１３とを分離可能とする。ベース１４と綴じ足１３とが分離した状態から第１の位置に設定する操作及び又は第１の位置からベース１４と綴じ足１３とを分離する操作を連続的な軌跡により片手で操作される。【選択図】      図１
2004195992.tif 000002
【特許請求の範囲】
【請求項１】
屈曲可能な少なくとも二本の綴じ足を、被固定面の面に沿う方向に倒伏することで書類を綴じ込み可能とした綴じ具において、
長手方向に延びるとともに、前記綴じ足を受容可能とする挿通路を備えたベースと、このベースに重なり合う位置に設けられるとともに、ベースの長手方向に沿って相対移動可能に設けられたスライド部材とを備え、
前記挿通路は、ベースの側端を切り欠いて形成され、
前記スライド部材が所定の第１の位置に設定されたときに、当該スライド部材とベースとの間に綴じ足を挟む倒伏姿勢として書類を綴じ込み可能とする一方、前記スライド部材が所定の第２の位置に設定されたときに、前記ベースと綴じ足とを分離可能とし、
前記ベースと綴じ足とが分離した状態から第１の位置に設定する操作及び又は第１の位置からベースと綴じ足とを分離する操作を連続的な軌跡で操作可能に設けたことを特徴とする綴じ具。
【請求項２】
屈曲可能な少なくとも二本の綴じ足を、被固定面の面に沿う方向に倒伏することで書類を綴じ込み可能とした綴じ具において、
長手方向に延びるとともに、前記綴じ足を受容可能とする挿通路を備えたベースと、このベースに重なり合う位置に設けられるとともに、ベースの長手方向に沿って相対移動可能に設けられたスライド部材とを備え、
前記挿通路は、ベースの側端を切り欠いて形成され、
前記スライド部材が所定の第１の位置に設定されたときに、当該スライド部材とベースとの間に綴じ足を挟む倒伏姿勢として書類を綴じ込み可能とする一方、前記スライド部材が所定の第２の位置に設定されたときに、前記ベースと綴じ足とを分離可能とし、
前記ベースと綴じ足とが分離した状態から第１の位置に設定する操作及び又は第１の位置からベースと綴じ足とを分離する操作を片手で操作可能に設けたことを特徴とする綴じ具。
【請求項３】
屈曲可能な少なくとも二本の綴じ足を、被固定面の面に沿う方向に倒伏することで書類を綴じ込み可能とした綴じ具と、この綴じ具が装着される表紙体とを備えたファイルにおいて、
前記綴じ具は、長手方向に延びるとともに、前記綴じ足を受容可能とする挿通路を備えたベースと、このベースに重なり合う位置に設けられるとともに、ベースの長手方向に沿って相対移動可能に設けられたスライド部材とを備え、
前記挿通路は、ベースの側端を切り欠いて形成され、
前記スライド部材が所定の第１の位置に設定されたときに、当該スライド部材とベースとの間に綴じ足を挟む倒伏姿勢として書類を綴じ込み可能とする一方、前記スライド部材が所定の第２の位置に設定されたときに、前記ベースと綴じ足とを分離可能とし、
前記ベースと綴じ足とが分離した状態から第１の位置に設定する操作及び又は第１の位置からベースと綴じ足とを分離する操作を連続的な軌跡で操作可能に設けたことを特徴とするファイル。
【請求項４】
屈曲可能な少なくとも二本の綴じ足を、被固定面の面に沿う方向に倒伏することで書類を綴じ込み可能とした綴じ具と、この綴じ具が装着される表紙体とを備えたファイルにおいて、
前記綴じ具は、長手方向に延びるとともに、前記綴じ足を受容可能とする挿通路を備えたベースと、このベースに重なり合う位置に設けられるとともに、ベースの長手方向に沿って相対移動可能に設けられたスライド部材とを備え、
前記挿通路は、ベースの側端を切り欠いて形成され、
前記スライド部材が所定の第１の位置に設定されたときに、当該スライド部材とベースとの間に綴じ足を挟む倒伏姿勢として書類を綴じ込み可能とする一方、前記スライド部材が所定の第２の位置に設定されたときに、前記ベースと綴じ足とを分離可能とし、
前記ベースと綴じ足とが分離した状態から第１の位置に設定する操作及び又は第１の位置からベースと綴じ足とを分離する操作を片手で操作可能に設けたことを特徴とするファイル。
【発明の詳細な説明】
【技術分野】
【０００１】
本発明は、綴じ具及びこれを用いたファイルに係り、更に詳しくは、ベースとスライド部材の相対移動により綴じ足を倒伏して書類を綴じ込むことのできる綴じ具及びこれを用いたファイルに関する。
【背景技術】
【０００２】
従来より、所定間隔を隔てて綴じ穴が形成された多数枚の書類を綴じ込むことのできる綴じ具が広く利用されている。このような綴じ具においては、できるだけ簡易な構造として製造コストの低減を図り、綴じ込み操作も容易に行うことができる必要がある。そこで、例えば、特許文献１に示されるような綴じ具が提案されている。
【０００３】
同文献に開示された綴じ具５０は、図１３に示されるように、綴じ足５１を挿通するための二つの孔５２を備えたベース５３と、このベース５３に摺動自在に組み合わされたスライド部材５５とを備えて構成されている。ベース５３におけるスライド部材５５の長手方向両側位置には、スライド部材５５の長さより大きい間隔を隔てて配置された位置決め突起５３Ａ及び抜け防止突起５３Ｂが設けられており、これらの間でスライド部材５５のスライド移動を許容し、且つ、スライド部材５５のベース５３からの脱落を防止するようになっている。綴じ具５０により書類を綴じ込む場合、先ず、当該書類の綴じ穴に各綴じ足５１を挿入してから当該綴じ足５１にベース５３の各孔５２を通し、ベース５３を書類上に乗せる。そして、この状態から、スライド部材５５を図１３中矢印Ｘ方向にスライド移動して綴じ足５１を倒伏し、スライド部材５５とベース５３との間に綴じ足５１を挟み込むことにより行われる。
【０００４】
【特許文献１】特開平８−１７５０６９号公報
【発明の開示】
【発明が解決しようとする課題】
【０００５】
しかしながら、前記綴じ具５０の構成にあっては、孔５２が開通しているかを確認する場合、図１３に示されるように、スライド部材５５がベース５３の長手方向両端間に収まる範囲内でスライド移動するに過ぎず、スライド部材５５のベース５３に対する相対位置だけでは孔５２の開通を認識することが困難となる。従って、ベース５３の上面側から覗き込むように見なければならず、書類の綴じ込み作業を困難且つ煩雑にしてしまうという不都合を生じる。また、スライド部材５５は、ベース５３を綴じ足５１から取り外したときに、ベース５３に対して何ら位置決めされることなくフリーな関係となるため、スライド部材５５が位置決め突起５３Ａ及び抜け防止突起５３Ｂの間でスライド移動してしまい、ベース５３の孔５２を不用意に塞いで当該孔５２に綴じ足５１を挿通することが困難になるという不都合も招来する。
【０００６】
［発明の目的］
本発明は、このような不都合に着目して案出されたものであり、その目的は、ベースに綴じ足を受容させる作業を容易に行うことができる綴じ具及びこれを用いたファイルを提供することにある。
【課題を解決するための手段】
【０００７】
前記目的を達成するため、本発明は、屈曲可能な少なくとも二本の綴じ足を、被固定面の面に沿う方向に倒伏することで書類を綴じ込み可能とした綴じ具において、
長手方向に延びるとともに、前記綴じ足を受容可能とする挿通路を備えたベースと、このベースに重なり合う位置に設けられるとともに、ベースの長手方向に沿って相対移動可能に設けられたスライド部材とを備え、
前記挿通路は、ベースの側端を切り欠いて形成され、
前記スライド部材が所定の第１の位置に設定されたときに、当該スライド部材とベースとの間に綴じ足を挟む倒伏姿勢として書類を綴じ込み可能とする一方、前記スライド部材が所定の第２の位置に設定されたときに、前記ベースと綴じ足とを分離可能とし、
前記ベースと綴じ足とが分離した状態から第１の位置に設定する操作及び又は第１の位置からベースと綴じ足とを分離する操作を連続的な軌跡で操作可能に設ける、という構成を採っている。
【０００８】
また、本発明は、屈曲可能な少なくとも二本の綴じ足を、被固定面の面に沿う方向に倒伏することで書類を綴じ込み可能とした綴じ具において、
長手方向に延びるとともに、前記綴じ足を受容可能とする挿通路を備えたベースと、このベースに重なり合う位置に設けられるとともに、ベースの長手方向に沿って相対移動可能に設けられたスライド部材とを備え、
前記挿通路は、ベースの側端を切り欠いて形成され、
前記スライド部材が所定の第１の位置に設定されたときに、当該スライド部材とベースとの間に綴じ足を挟む倒伏姿勢として書類を綴じ込み可能とする一方、前記スライド部材が所定の第２の位置に設定されたときに、前記ベースと綴じ足とを分離可能とし、
前記ベースと綴じ足とが分離した状態から第１の位置に設定する操作及び又は第１の位置からベースと綴じ足とを分離する操作を片手で操作可能に設ける、という構成も採用される。
【０００９】
更に、本発明は、屈曲可能な少なくとも二本の綴じ足を、被固定面の面に沿う方向に倒伏することで書類を綴じ込み可能とした綴じ具と、この綴じ具が装着される表紙体とを備えたファイルにおいて、
前記綴じ具は、長手方向に延びるとともに、前記綴じ足を受容可能とする挿通路を備えたベースと、このベースに重なり合う位置に設けられるとともに、ベースの長手方向に沿って相対移動可能に設けられたスライド部材とを備え、
前記挿通路は、ベースの側端を切り欠いて形成され、
前記スライド部材が所定の第１の位置に設定されたときに、当該スライド部材とベースとの間に綴じ足を挟む倒伏姿勢として書類を綴じ込み可能とする一方、前記スライド部材が所定の第２の位置に設定されたときに、前記ベースと綴じ足とを分離可能とし、
前記ベースと綴じ足とが分離した状態から第１の位置に設定する操作及び又は第１の位置からベースと綴じ足とを分離する操作を連続的な軌跡で操作可能に設ける、という構成が採用される。
【００１０】
また、本発明は、屈曲可能な少なくとも二本の綴じ足を、被固定面の面に沿う方向に倒伏することで書類を綴じ込み可能とした綴じ具と、この綴じ具が装着される表紙体とを備えたファイルにおいて、
前記綴じ具は、長手方向に延びるとともに、前記綴じ足を受容可能とする挿通路を備えたベースと、このベースに重なり合う位置に設けられるとともに、ベースの長手方向に沿って相対移動可能に設けられたスライド部材とを備え、
前記挿通路は、ベースの側端を切り欠いて形成され、
前記スライド部材が所定の第１の位置に設定されたときに、当該スライド部材とベースとの間に綴じ足を挟む倒伏姿勢として書類を綴じ込み可能とする一方、前記スライド部材が所定の第２の位置に設定されたときに、前記ベースと綴じ足とを分離可能とし、
前記ベースと綴じ足とが分離した状態から第１の位置に設定する操作及び又は第１の位置からベースと綴じ足とを分離する操作を片手で操作可能に設ける、という構成を採っている。
【発明の効果】
【００１１】
本発明によれば、綴じ込み及びその解除作業を一連の動作の中で容易且つ迅速に行うことができ、書類の加除整理作業の効率化を図ることが可能となる。
【発明を実施するための最良の形態】
【００１２】
以下、本発明の実施の形態を図面を参照しながら説明する。
【００１３】
図１には、本発明の実施形態に係るファイルの概略斜視図が示され、図２には、前記ファイルを構成する綴じ具の拡大斜視図が示されている。また、図３には、書類綴じ込み初期の状態または綴じ具のベースから綴じ足を抜き取るときの状態を示す概略斜視図が示され、図４には、前記綴じ具の一部分解斜視図が示されている。これらの図において、ファイル１は、綴じ具１０と、この綴じ具１０が装着される表紙体１１とを備えて構成されている。綴じ具１０は、表紙体１１を構成する背表紙１１Ｂと裏表紙１１Ａとの間を二枚厚に折り畳むことにより設けられた被固定面としての折り込み部１１Ｃに装着されるとともに、当該折り込み部１１Ｃと相互に書類Ｐを挟み込んで当該書類Ｐを綴じ込み可能に設けられている。この綴じ具１０は、前記折り込み部１１Ｃを貫通して表紙体１１の内面に突出する方向に延びるとともに、書類Ｐの二つの綴じ穴Ｐ１（図５参照）に挿通可能に設けられた一対の綴じ足１３，１３と、これら綴じ足１３，１３を受容可能に設けられたベース１４と、このベース１４の上面側に重なり合う位置に設けられた単一のスライド部材１５とを備えて構成されている。
【００１４】
前記各綴じ足１３，１３は、特に限定されるものでないが、本実施形態では、ポリエチレン等の樹脂材を用いて成形された屈曲可能な帯状部材により構成されている。各綴じ足１３，１３は、図５及び図６に示されるように、その一面側すなわち倒伏時における下面側に刻み面１６を備えており、これにより、ベース１４の後述する鋸歯状突起に噛み合って綴じ足１３とベース１４との相対移動を規制可能となっている。
【００１５】
前記ベース１４は、図７（Ａ）及び（Ｂ）にも示されるように、長手方向に延びる板状に設けられるとともに、当該長手方向両端側が半円弧状に形成されたベース本体１８と、このベース本体１８の側端１９を切り欠いて形成されるとともに、各綴じ足１３をそれぞれ横方向から受容可能に設けられた一対の挿通路２０と、これら挿通路２０の図７（Ｂ）中左側に隣接する位置であってベース本体１８の上面側に設けられた鋸歯状突起２１とを備えて構成されている。ベース本体１８は、図９（Ａ）〜（Ｄ）に示されるように、その側端１９に下面から切り欠くように形成された段部２３を備えており、これにより、横断面形状が横長な下向き凸状となるように設けられている。
【００１６】
前記各挿通路２０は、図８に拡大して示されるように、ベース本体１８の面内二箇所位置に角穴を設け、この角穴と前記側端１９との間に綴じ足１３の通過を許容する細い通路を設けた形状になっている。すなわち、各挿通路２０は、ベース本体１８の側端１９に向かって拡開する円弧状に形成された案内部２４と、この案内部２４の内方端に連なってベース本体１８の長手方向に沿って位置する脱落防止部２５と、この脱落防止部２５に連なってベース本体１８の短寸幅方向に沿って延びるとともに、前記綴じ足１３の幅より若干長く設けられた短寸内周縁部２７と、この短寸内周縁部２７の図８中上端に連なって脱落防止部２５と略平行に延びる中央内周縁部２８と、この中央内周縁部２８の図８中右端と側端１９との間に延びる長寸内周縁部２９とを備えている。各挿通路２０は、図５及び図６に示されるように、ベース本体１８の上面から短寸内周縁部２７に向かって傾倒する傾斜面３０を備えており、綴じ足１３の屈曲変形をスムースに行うことができるようになっている。また、案内部２４及び長寸内周縁部２９は、図８に示されるように、綴じ足１３の厚さより若干大きく設定された隙間Ｓを介して配置されており、これにより、綴じ足１３が挿通路２０内に受容されたときに、脱落防止部２５に引っ掛かって挿通路２０から抜け出しにくくなり、また、綴じ足１３を挿通路２０内に受容させるときに、案内部２４を綴じ足１３に沿う位置に配置して、ベース１４を横方向すなわち図８中下方に移動することで無理なく綴じ足１３を挿通路２０内に受容させることができる。
【００１７】
前記スライド部材１５は、図７（Ａ）及び図９に示されるように、ベース１４と略同一長さに設けられているとともに、当該ベース１４を下面側に抱え込む形状に設けられている。これを更に詳述すると、スライド部材１５は、上面に平面視楕円状となる複数の隆起部３２Ａを備えた操作面部３２と、この操作面部３２の短寸幅方向両端側から垂下するとともに、前記ベース１４の側端１９の両側に位置する一対の側面部３３と、これら側面部３３の下端側に連なって内向きにそれぞれ設けられるとともに、前記段部２３に面接触する位置に設けられた一対の屈曲面部３４と、操作面部３２の下面側に連なるとともに、下端側がベース１４の上面に接触して当該ベース１４の浮き上がりを防止する二つのスペーサ３６，３７とを備えて構成されている。スライド部材１５は、ベース１４の長手方向に沿って相対移動可能に設けられ、図７（Ａ）に示される第１の位置に設定されたときに、ベース１４及びスライド部材１５の長手方向両端が略一致する位置となる。この一方、スライド部材１５は、図７（Ｂ）に示される第２の位置に設定されたときに、各挿通路２０を開通するとともに、平面視でベース１４及びスライド部材１５の全体の長さが前記第１の位置と比べて長くなってこれらの全体の長さが最長となるようになっている。また、操作面部３２の図７（Ｂ）中中央部及び左端部には、前記第２の位置で各挿通路２０の開通姿勢を確保するコ字状切欠部３９及び略Ｌ字状切欠部４０が設けられている。ここで、図１０（Ａ）中下側の屈曲面部３４は、その中央領域に凹状の凹み部４１を備えており、この凹み部４１の領域において、スライド部材１５とベース１４との間には、これらの相対移動を規制可能とするストッパ機構４２が設けられている。
【００１８】
前記ストッパ機構４２は、図１０ないし図１２に示されるように、挿通路２０が設けられた位置とは反対側となる側端１９の中央領域に設けられた蟻溝状凹部４４と、この蟻溝状凹部４４内における図１１中右寄りの位置に設けられた円弧状突起４５と、前記側面部３３の内面側より突出するとともに、蟻溝状凹部４４内に受容可能に設けられた蟻状突起４６とを備えている。蟻状突起４６は、スライド部材１５を前記第１の位置に設定したときに、蟻溝状凹部４４の図１１中左側の内周縁に突き当たり、スライド部材１５を前記第２の位置に設定したときに、蟻溝状凹部４４の図１１中右側の内周縁と円弧状突起４５との間に嵌り込む位置に設けられている。これにより、スライド部材１５は、第２の位置に設定されたときに、強制的な外力を付与しない限りベース１４との相対移動が規制されることとなり、第２の位置で挿通路２０を不用意に塞いでしまうことはない。
【００１９】
以上の構成において、本実施形態における綴じ具１０を用いて書類Ｐを綴じ込む場合、先ず、書類Ｐの綴じ穴Ｐ１，Ｐ１に綴じ足１３，１３を挿入した後、図６に示されるように、スライド部材１５を前記第２の位置に設定した状態で書類Ｐ上に乗せる。そして、操作面部３２に一方の手の指を当てがって書類Ｐ上でベース１４を滑らせ、各挿通路２０に綴じ足１３をそれぞれ受容させる。この際、綴じ足１３に案内部２４を押し当てるようにベース１４を移動することにより、綴じ足１３が案内部２４に沿って移動して挿通路２０内に受容される。
【００２０】
次に、操作面部３２に指を当てがったままでスライド部材１５を図６中左方向にスライド移動して第１の位置に設定することにより、各綴じ足１３がコ字状切欠部３９及び略Ｌ字状切欠部４０の内周端に押されて屈曲し、表紙体１１の面に沿う方向に倒伏する。そして、図５に示されるように、各綴じ足１３が倒伏姿勢としてスライド部材１５とベース１４との間に挟まれるとともに、綴じ足１３の刻み面１６とベース１４の鋸歯状突起２１が噛み合うことにより、綴じ足１３とベース１４との相対移動が規制され、書類Ｐの綴じ込みが完了する。
【００２１】
この一方、書類Ｐの綴じ込みを解除する作業は、前述した綴じ込み作業と逆の手順を行えばよい。すなわち、操作面部３２に指を宛ってスライド部材１５を第１の位置から第２の位置にスライドし、綴じ足１３が挿通路２０から抜け出す方向に書類Ｐ上でスライドすることにより、ベース１４と綴じ足１３とが分離されることとなる。
【００２２】
従って、このような実施形態によれば、片手操作により連続的な操作軌跡で移動させることによって、極めて簡単に書類Ｐの綴じ込み及びその解除を行うことが可能となる。また、挿通路２０が開通した状態となる第２の位置でベース１４及びスライド部材１５の相対移動を規制するストッパ機構４２を設けたから、スライド部材１５を邪魔に感じることなく綴じ足１３を挿通路２０内にスムースに受容させることができる。
【００２３】
なお、前記スライド部材１５は、図示構成例に限られるものでなく、種々の設計変更が可能である。例えば、スライド部材１５をベース１４の上面と離間接近する方向に中央部で屈曲可能に設けるとともに、その両端側が前記屈曲によりベース１４上でスライド移動して各挿通路２０内の綴じ足１３を倒伏可能とする構成も考えられる。このような構成によっても、書類Ｐの綴じ込み及びその解除操作、すなわち、ベース１４に綴じ足１３を受容又は分離させる操作と、前記中央部の離間接近操作とを片手で連続的な操作軌跡により行うことが可能となる。
【図面の簡単な説明】
【００２４】
【図１】本実施形態に係るファイルの概略斜視図。
【図２】前記ファイルを構成する綴じ具の拡大斜視図。
【図３】前記綴じ具の書類綴じ込み初期の状態を示す概略斜視図。
【図４】前記綴じ具の一部分解斜視図。
【図５】図１のＡ−Ａ線に沿う断面図。
【図６】綴じ足を倒伏する直前状態を示す図５と同様の断面図。
【図７】（Ａ）は、第１の位置に設定された綴じ具の平面図。（Ｂ）は、第２の位置に設定された綴じ具の平面図。
【図８】挿通路の拡大平面図。
【図９】（Ａ）は、図７（Ａ）のＢ−Ｂ線に沿う拡大断面図。（Ｂ）は、図７（Ａ）のＣ−Ｃ線に沿う拡大断面図。（Ｃ）は、図７（Ａ）のＤ−Ｄ線に沿う拡大断面図。（Ｄ）は、図７（Ｂ）のＥ−Ｅ線に沿う拡大断面図。
【図１０】（Ａ）は、図７（Ａ）の底面図。（Ｂ）は、図７（Ｂ）の底面図。
【図１１】ストッパ機構の拡大底面図。
【図１２】図４のＦ−Ｆ線に沿う断面図。
【図１３】従来例に係る綴じ具の概略斜視図。
【符号の説明】
【００２５】
１  ファイル
１０  綴じ具
１１  表紙体
１１Ｃ  折り込み部（被固定面）
１３  綴じ足
１４  ベース
１５  スライド部材
１９  側端
２０  挿通路
Ｐ  書類
【図１】
2004195992.tif 000003
【図２】
2004195992.tif 000004
【図３】
2004195992.tif 000005
【図４】
2004195992.tif 000006
【図５】
2004195992.tif 000007
【図６】
2004195992.tif 000008
【図７】
2004195992.tif 000009
【図８】
2004195992.tif 000010
【図９】
2004195992.tif 000011
【図１０】
2004195992.tif 000012
【図１１】
2004195992.tif 000013
【図１２】
2004195992.tif 000014
【図１３】
2004195992.tif 000015